(57)【特許請求の範囲】
【請求項１】
解放位置とラッチをかけた位置との間を移動可能なラッチ部材と、  このラッチ部材に移動可能に連結されている操作部材とを具備し、この操作部材は、第１の位置と第２の位置との間を移動可能であり、前記ラッチ部材は、前記操作部材が前記第１の位置にあるとき、前記解放位置にあり、また、前記ラッチ部材は、前記操作部材が前記第２の位置にあるとき、前記ラッチをかけた位置にあり、
また、第１の位置から第２の位置に移動可能な作動部材を具備し、前記第１の位置から前記第２の位置への前記作動部材の動きにより、前記操作部材を前記第１の位置から前記第２の位置に移動させて、前記ラッチ部材を前記解放位置から前記ラッチをかけた位置に移動させ、
また、係合解除された位置と、前記第２の位置に前記操作部材をロックする係合された位置との間を移動可能なロック部材を具備し、このロック部材は、前記操作部材が、前記第１の位置から前記第２の位置に移動されるとき、前記係合解除された位置から前記係合された位置に移動し、また、第１の位置と第２の位置との間を移動可能な解放部材を具備し、前記第１の位置から前記第２の位置への前記解放部材の動きにより、前記ロック部材が前記係合された位置にあるとき、前記ロック部材を前記係合された位置から前記係合解除された位置に移動させて、前記操作部材が前記第２の位置から前記第１の位置に移動することを可能とし、そして、前記作動部材および操作部材は、互いに移動可能に取り付けられている、ラッチ機構を備えた付属装置と、
この付属装置と係合可能なスプレッダーとを具備し、
前記スプレッダーは、このスプレッダーが前記付属装置と係合されているときに前記作動部材を作動し、前記第１の位置から前記第２の位置に前記作動部材を移動させ、そして、前記ラッチ部材を前記スプレッダーのラッチをかける構成部と係合させる、積荷を処理するシステム。
【請求項２】
前記作動部材および操作部材は、支持部材にスライド可能に取り付けられている請求項１に記載の積荷を処理するシステム。
【請求項３】
前記作動部材および操作部材は、前記支持部材に同軸的に取り付けられている請求項２に記載の積荷を処理するシステム。
【請求項４】
前記操作部材は、前記第１の位置に付勢されている請求項１ないし３のいずれか１に記載の積荷を処理するシステム。
【請求項５】
前記作動部材は、前記第１の位置に付勢されている請求項１ないし４のいずれか１に記載の積荷を処理するシステム。
【請求項６】
前記解放部材が、前記第１の位置に付勢されている請求項１ないし５のいずれか１に記載の積荷を処理するシステム。
【請求項７】
前記作動部材は、係合部材を有し、この係合部材は、係合部材が前記操作部材と係合するようにされた第１の位置と、前記作動部材が第２の位置にあるときに、前記係合部材が前記操作部材から係合解除される第２の位置との間を移動可能である、請求項１ないし６のいずれか１に記載の積荷を処理するシステム。
【請求項８】
前記ロック部材は、前記係合された位置に付勢されている請求項１ないし７のいずれか１に記載の積荷を処理するシステム。
【請求項９】
前記操作部材は、中間リンクによって前記ラッチ部材に連結されている請求項１ないし８のいずれか１に記載の積荷を処理するシステム。
【請求項１０】
前記中間リンクは、前記操作部材に回動可能に連結され、また前記ラッチ部材にスライド可能に連結されている請求項９に記載の積荷を処理するシステム。
【発明の詳細な説明】
【０００１】
【発明の属する技術分野】
本発明は、ラッチ機構、特に、貨物用コンテナを処理するスプレッダーと、ラッチ機構を備えた付属部品とを有する積荷を処理するシステムに関する。
【０００２】
【従来の技術】
スプレッダーは、一般に、船と、埠頭、あるいは、波止場の間、または、運搬装置の上などの、第１の位置から第２の場所に貨物用コンテナを移動するのに使用される。典型的なスプレッダーは、各コーナーにツイストロックを有するメタルフレームを含み、それらのツイストロックは、コンテナーのトップ側における対応する開口に位置するように構成されている。ツイストロックがツイストロックの開口に位置されると、ツイストロックは、コンテナをスプレッダーにロックするために回転され、そのために、コンテナは、スプレッダーを持ち上げることによって高く上げられることが可能である。
【０００３】
とはいえ、貨物、あるいは、積荷が、フラットパレットの上面に固定されている場合、積荷が、無蓋コンテナの上面からはみ出している場合、あるいは、積荷が、「フラットラック」式コンテナの端部フレームの上にはみ出している場合、従来のスプレッダーは、パレット、無蓋コンテナ、あるいは、フラットラックのツイストロックの開口と係合することができないことがある。これは、ツイストロックの開口が、パレットの表面と同じ高さであり、そして、そのパレットの上面に固定されている貨物、あるいは、積荷により、スプレッダーがツイストロックの開口と係合するために低下されることを妨げるためである。
【０００４】
このために、超過高度の付属装置（ａｔｔａｃｈｍｅｎｔ）（あるいは、超過高度のスプレッダー）として周知の付属装置は、一般に、パレットをスプレッダーに連結するのに使用されている。超過高度の付属装置は、スプレッダーのツイストロックによって係合されることが可能なツイストロックの開口を上面側に有するフレームを備えている。４つの脚部は、超過高度の付属装置の上方フレームから延在し、そして、パレットのツイストロックの開口と係合されることが可能なツイストロックを下方端部に有している。超過高度の付属装置の各脚部は、脚部の下方端部のツイストロックがスプレッダーのツイストロックの回転によって回転されることを可能とする機構を有している。それゆえ、超過高度の付属装置は、効果的に、スプレッダーのツイストロックへの延長部を形成し、それに固定されている積荷を有するパレットが、スプレッダーによってピックアップされることを可能とする。
【０００５】
スプレッダーのツイストロック要素の回転が、超過高度の付属装置の脚部の下方端部のツイストロック要素を回転するのに使用されるとき、スプレッダーを超過高度の付属装置に固定するために、独立したラッチ機構を有することは最も重要なことであり、そのため、ツイストロックが、パレットから超過高度の付属装置をロック解除するように逆回転されるとき、スプレッダーは、まだ超過高度の付属装置に固定されたままであり、超過高度の付属装置は、パレットから引き離され、そして、スプレッダーによって高く上げられることを可能とする。
【０００６】
従来、超過高度の付属装置は、スプレッダーを超過高度の付属装置に固定するために、超過高度の付属装置の上にスプレッダーを降下し、スプレッダーと超過高度の付属装置との一直線に整列した開口に手動で挿入されるピンを使用して、スプレッダーに超過高度の付属装置を連結することによって、剥離自在にスプレッダーに取り付けられている。その結果、これは、ピンを挿入するためという理由で人員を必要とする。
【０００７】
手動でピンを挿入する必要があるという問題を解消するための１つの解決法は、米国特許第５，１６３，７２６号に開示されている。
【０００８】
【発明が解決しようとする課題】
しかし、このシステムは、超過高度の付属装置と係合するべく、スプレッダーにおけるツイストロック要素を使用して、ベースフレームから超過高度の付属装置をピックアップし、次に、スプレッダーを超過高度の付属装置に固定するべく、ラッチ機構を作動するために、第２の位置におけるベースフレームの上に超過高度の付属装置を再降下するために、超過高度の付属装置に降下されるスプレッダーを必要とするという不利な点を有している。このために、このシステムは、スプレッダーを超過高度の付属装置にロックするために、スプレッダーと係合され、ピックアップされ、次に、ベースフレームに再降下される超過高度の付属装置を必要とする。係合解除のために、そのシステムは、ラッチ機構の使用を止めるために、第２の位置におけるベースフレームに降下されるスプレッダーと超過高度付属装置との連結を必要とする。超過高度の付属装置は、次に、スプレッダーのツイストロックを使用してピックアップされ、第１の位置におけるベースフレームに再降下され、ツイストロックは、超過高度の付属装置から係合解除され、超過高度のスプレッダーからスプレッダーを係合解除するのを促進する。
【０００９】
【課題を解決するための手段】
本発明によれば、ラッチ機構は、解放位置とラッチをかけた位置との間を移動可能なラッチ部材と、このラッチ部材に移動可能に連結されている操作部材とを具備し、この操作部材は、第１の位置と第２の位置との間を移動可能であり、前記ラッチ部材は、前記操作部材が前記第１の位置にあるとき、前記解放位置にあり、また、前記ラッチ部材は、前記操作部材が前記第２の位置にあるとき、前記ラッチをかけた位置にあり、また、第１の位置から第２の位置に移動可能な作動部材を具備し、前記第１の位置から前記第２の位置への前記作動部材の動きにより、前記操作部材を前記第１の位置から前記第２の位置に移動させて、前記ラッチ部材を前記解放位置から前記ラッチをかけた位置に移動させ、また、係合解除された位置と、前記ロック部材が前記第２の位置に前記操作部材をロックする係合された位置との間を移動可能なロック部材を具備し、このロック部材は、前記操作部材が、前記第１の位置から前記第２の位置に移動されるとき、前記係合解除された位置から前記係合された位置に移動し、また、第１の位置と第２の位置との間を移動可能な解放部材を具備し、前記第１の位置から前記第２の位置への前記解放部材の動きにより、前記ロック部材が前記係合された位置にあるとき、前記ロック部材を前記係合された位置から前記係合解除された位置に移動させて、前記操作部材が前記第２の位置から前記第１の位置に移動することを可能とし、そして、前記作動部材および操作部材は、互いに移動可能に取り付けられている。
【００１０】
この作動部材および操作部材は、支持部材にスライド可能に取り付けられ、一般に、支持部材に同軸を有して取り付けられることが好ましい。
【００１１】
操作部材は、第１の位置に付勢されることが好ましい。
【００１２】
作動部材は、第１の位置に付勢されることが好ましい。
【００１３】
解放部材は、一般に、第１の位置に付勢される。
【００１４】
作動部材は、係合部材が操作部材と係合するように構成されている第１の位置と、作動部材が第２の位置にあるとき、係合部材が操作部材から係合解除される第２の位置との間を移動可能である係合部材を含むことが好ましい。
【００１５】
ロック部材は、係合された位置に付勢されることが好ましい。
【００１６】
操作部材は、操作部材に回転自在に連結され、ラッチ部材にスライド可能に連結されることが好ましい中間リンクによってラッチ部材に連結されることが好ましい。
【００１７】
本発明によれば、スプレッダー用の付属装置は、前記構成のラッチ機構を備える。
【００１８】
本発明の積荷を処理するシステムは、前記付属装置とスプレッダーとを備え、このスプレッダーは、スプレッダーが超過高度の付属装置と係合されるとき作動部材を作動し、第１の位置から第２の位置に作動部材を移動し、ラッチ部材をスプレッダーのラッチをかける構成部と係合させる。
【００１９】
【発明の実施の形態】
本発明によるラッチ機構の例示は、ここでは、添付の図面を参照として記述されている。
【００２０】
図１は、ベースフレーム２の上に取り付けられる超過高度の付属装置１を示している。この超過高度の付属装置１は、中央クロス部材３と２つの端部部材４とを含み、中央クロス部材３と２つの端部部材４とが、「Ｈ」形状を形成するように配置されている。このクロス部材３の各端部には、脚部５があり、その脚部５の上面には、ツイストロックの開口６がある。ラッチ機構７は、それらの脚部５のそれぞれに取り付けられ、このラッチ機構７は、ラッチ部材８を含む。プッシュロッド９は、各脚部５の内部を下方に延在している。そのプッシュロッド９の上方端部は、レバー１０で終端し、このプッシュロッド９は、保持リング１１によって脚部５にスライド可能に取り付けられ、かつ、上方のリング１１と肩部５１との間に位置されるらせん状スプリング５０を有している。このスプリング５０は、図４および図５に示されている位置に圧縮されている。前記ベースフレーム２は、脚部５の下方端部１３と、脚部５の下方端部１３に位置されるツイストロック要素１４とを受容する４つの脚部受容部１２を含む。超過高度の付属装置１が、図１〜図６に示されているように、ベースフレーム２に完全に降下されるとき、プッシュロッド９の下方端部１５は、脚部受容部１２のそれぞれに取り付けられている止め具１６に当接する。
【００２１】
各脚部５の上方端部におけるツイストロックの開口６は、スプレッダー２１のツイストロックコーナー２６に取り付けられているツイストロック２０を受容するように構成されている。ラッチ構成部２２は、ツイストロック２０のそれぞれに近接し、このラッチ構成部２２は、超過高度の付属装置３の上に降下されるたき、スプレッダー２１が、ツイストロックの開口６内にツイストロック２０を係合することによって,ラッチ部材８によって係合されるように構成されている。
【００２２】
脚部５のそれぞれに取り付けられているラッチ機構７は、支持部材３１が取り付けられているハウジング３０を含む。作動部材３２は、支持部材３１内にスライド可能に取り付けられ、この作動部材３２は、図１、図２、図５および図４に示されている位置に、らせん状スプリング３３によって付勢されている。スリーブ３４は、支持部材３１の外面にスライド可能に取り付けられ、このスリーブ３４は、中間リンク機構３５にこのリンク機構３５の１つの端部における回転点３６で、回転自在に連結されている。リンク機構３５のもう１つの端部は、ラッチ部材８が延通するスロット３７を含む。このスリーブ３４は、スリーブ３４と、リンク機構３５と、ラッチ部材８とを図１および図５に示されている位置に付勢するためにそこに取り付けられているらせん状スプリング３９を有するロッド３８に接続されている。スリーブ３４は、ドック凹部４８を含む。回し金（ｄｏｇ）４０は、作動部材内に回転自在に取り付けられている。図３および図４に示されているように、ラッチ機構７は、さらに、ハウジング４２内にスライド可能に取り付けられているロック部材４１を含む。スロット４４においてハウジング４２の側壁と、ハウジング４２の外面に回転自在に取り付けられている回転自在に取り付けた部材４５とを延通するリリースピン４３は、ロック部材４１に取り付けられている。この部材４５は、ピン係合表面４６とレバー部分４７とを含む。
【００２３】
操作において、超過高度の付属装置は、第一に、ベースフレーム２の上に取り付けられる超過高度の付属装置１と係合するようにスプレッダー２１を低下させることによってフラットパレットをピックアップするのに使用されることが可能である。図７および図８は、超過高度の付属装置１の上に降下されているスプレッダー２1を示し、ツイストロック２０が、ツイストロックの開口６と部分的に係合されている場合である。この位置において、作動部材３２は、ツイストロックのコーナー２６のボトム表面２５によって部分的に押し下げられ、作動部材３２のこの位置への移動により、回し金４０をスリーブ３４の上方端部に接して係合させ、スプリング３９の付勢作用に対して下方にスリーブ３４を押し、リンク機構３５とラッチ部材８とを図７に示されている位置に移動する。図８から、ロック部材４１が、まだ、図４に示されているのと同じ位置にあり、ロック凹部４８が、ロック部材４１の上にあることに注目されたい。
【００２４】
スプレッダー２１が、完全に超過高度の付属装置１の上に降下され、ツイストロック２０が、図９および図１０に示されるように、完全にツイストロックの開口６に係合されるとき、作動部材３２は、図１０および図１１に示される位置に完全に押し下げられる。この位置において、ロック凹部４８は、ロック部材４１と整列され、そのために、ロック部材４１は、スプリング４９を付勢する作用のもとにロック凹部４８の方にスライドし、回し金４０は、回し金４０に打撃を加え、そして、図１０に示されている位置にそれを回転するハウジング３０の肩部５０によってスリーブ３４と係合することなく回転される。
【００２５】
この位置において、スリーブ３４、リンク機構３５およびラッチ部材８は、ロック凹部４８と係合するロック部材４１によって図１０に示されている位置においてロックされる。これゆえ、スプレッダー２１が、上方に高く上げられるとき、ツイストロックコーナー２６は、ラッチ構成部２２がラッチ部材８と係合するまで、超過高度のスプレッダーから離れて持ち上がる。この位置において、作動部材３２は、付勢スプリング３１の作用によりわずかに上昇するが、ツイストロック２０は、まだ、ツイストロックの開口６と係合されている。スプレッダー２１および超過高度の付属装置１が、持ち上げられるとき、下方端部１３およびツイストロック要素１４は、脚部受容セクション１２から係合解除し、プッシュロッド９の端部１５は、止め具１６から係合解除する。超過高度の付属装置１は、スプレッダー２１によって上方に持ち上げられるとき、プッシュロッド９は、スプリング５０および重力の作用のもとに、ラッチ機構７に対して下方に移動し、そのために、レバー１０は、さらに、部材４５のレバー部分４７を通りすぎて下方に、レバー１０が部材４５のレバー部分４７の下に位置される図１３、図１４および図１５に示されている位置に移動する。図１２は、スプレッダー２１と、ベースフレーム２から離れて持ち上げられている超過高度の付属装置１とを示している。
【００２６】
超過高度の付属装置１は、ここでは、ツイストロックコーナー２６のそれぞれのラッチ構成部２２と係合するラッチ部材８によってスプレッダー２１に確動的に固定されている。その結果、スプレッダー２１と超過高度の付属装置１との組み合わせは、フラットパレット上の積荷が脚部５とクロス部材３との間に位置されるとき、フラットパレットに固定される積荷をピックアップするのに使用されることが可能である。脚部５の両端部１３のツイストロック要素１４が、パレット上の対応するツイストロックの開口に位置されるとき、それらは、スプレッダー２１のツイストロック２０の回転によって、パレットを脚部５にロックするために、回転されることが可能である。脚部５は、ツイストロック２０がツイストロックの開口６に係合されるとき、ツイストロック２０をツイストロック１４に回転可能に連結する内側機構を有している。そのような機構は、スプレッダーのツイストロックを超過高度の付属装置のツイストロックに連結するのに従来の超過高度の付属装置に使用されている従来の機構でもよい。積荷を有するパレットが、所望の場所に移動された後、スプレッダーおよび超過高度の付属装置は、ツイストロック１４を逆回転するために、スプレッダー２１のツイストロック２０を逆回転することによって、パレットから係合解除されることが可能であり、スプレッダー２１と超過高度の付属装置１とをパレットから離れて持ち上げられることを可能とする。フラットパレットに固定されている積荷をピックアップすることに加えて、超過高度の付属装置は、さらに、無蓋の上に、あるいは、フラットラックの上にはみ出している積荷があり、そして、無蓋コンテナ、あるいは、フラットラックコンテナのツイストロックの開口と係合するスプレッダー２１などの従来のスプレッダーを妨害する無蓋コンテナ、あるいは、フラットラックコンテナをピックアップするのに使用されることもできる。
【００２７】
スプレッダー２１から超過高度の付属装置１を取り除くことが要望されるとき、その超過高度の付属装置１は、脚部５の下方端部１３およびツイストロック１４が、図１６、図１７および図１８に示されているように、ベースフレーム２の脚部受容セクション１２と再係合されるように、ベースフレーム２の上に下げられる。この下方端部１３が、脚部受容セクション１２に入るのに従って、各プッシュロッド９の下方端部１５が、止め具１６に当接する。さらに、超過高度の付属装置１を下げることによって、ラッチ機構７に対してプッシュロッド９の相対的な上方移動を生じ、各プッシュロッド９のスプリング５０を圧縮する。このプッシュロッド９の相対的な上方の移動により、レバー部分４７に突き当たるために、レバー１０を上方に移動させる。レバー１０のこの上方への移動は、部材４５を回転させて、これの表面４６で、ピン４２を押し、スロット４４中にピン４３を移動させて、ロック部材４１をロック凹部４８から引き出す。
【００２８】
超過高度の付属装置が、ベースフレーム２の上に完全に下げられ（即ち、降下され）たとき、レバー１０は、ピン４３がスロット４４の左側端部に押され、ロック部材４１が、ロック凹部４８から完全に引っ込められるまで、部材４５を回転させる。これにより、スリーブ４３が、スプリング３９の付勢作用により、図１９および図２０に示されている位置に上方に移動することを可能とし、それにより、順番に、ラッチ部材８をラッチ構成部２２から係合解除させる。超過高度の付属装置１が、ベースの上に完全に降下されたとき、レバー１０は、レバー１０が図５および図６において位置されているのと同じ位置である、図２１に示されている位置に移動している。
【００２９】
それゆえ、スプレッダー２１が、持ち上げられるとき、ツイストロック２０が、逆回転された位置にあるとすれば、ツイストロック２０は、ツイストロックの開口６から引き出され、作動部材３２および回し金４０は、図２２に示されている位置に移動する。この位置において、ラッチ機構７は、図１および図６に示されているのと同一の位置にある。すなわち、スプレッダー２１が、超過高度の付属装置１と、ラッチ部材８をラッチ構成部２２と係合させるために作動されるラッチ機構７とに再係合されることが可能な位置である。
【００３０】
これゆえ、本発明は、手動の介入を必要とすることなく、スプレッダー２１を超過高度の付属装置に固定させることを可能とする利点を有し、超過高度の付属装置が、単に、スプレッダー２１を単一の操作で超過高度の付属装置１の上に降下することによって、自動的にスプレッダー２１にラッチをかけられることを可能とする。同様に、本発明は、超過高度の付属装置が、単に、単一の操作で超過高度の付属装置をベースフレームに戻すことによって、スプレッダー２１から解放されることを可能とする。
【００３１】
さらに、操作部材３４および作動部材３２を、それらが互いに移動可能に取り付けられるように、取り付けることによって、ラッチ機構７のコンポーネントの数が減少され、ラッチ機構の平滑な操作を相対的に容易にする。
【図面の簡単な説明】
【図１】  スプレッダーと、ベースフレームの上に取り付けられる超過高度の付属装置との側面図であり、このスプレッダーが、超過高度の付属装置から係合解除されている場合である。
【図２】  図１の線Ｅ−Ｅに沿った断面図である。
【図３】  図２の線Ｄ−Ｄに沿った部分断面図である。
【図４】  図３の線Ａ−Ａに沿った断面図である。
【図５】  図３の線Ｂ−Ｂに沿った断面図である。
【図６】  図３の線Ｃ−Ｃに沿った断面図である。
【図７】  図５の断面図に類似する断面図であるが、スプレッダーが、超過高度の付属装置に部分的に降下されている場合である。
【図８】  図４の断面図に類似する断面図であるが、スプレッダーが、超過高度の付属装置に部分的に降下されている場合である。
【図９】  図１に類似する側面図であるが、超過高度の付属装置に完全に降下されているスプレッダーを示している。
【図１０】  図５の断面図に類似する断面図であるが、スプレッダーが、超過高度の付属装置に完全に降下されている場合である。
【図１１】  図４に類似する断面図であるが、スプレッダーが、超過高度の付属装置に完全に降下されている場合である。
【図１２】  図１に類似する側面図であるが、スプレッダーが、超過高度付属装置にラッチがかけられ、超過高度の付属装置およびスプレッダーが、ベースフレームから離れて持ち上げられている場合である。
【図１３】  図１０の断面図に類似する断面図であるが、スプレッダーおよび超過高度の付属装置が、ベースフレームから離れて持ち上げられている場合である。
【図１４】  図１１の断面図に類似する断面図であるが、スプレッダーおよび超過高度の付属装置が、ベースフレームから離れて持ち上げられている場合である。
【図１５】  図６の断面図に類似する断面図であるが、スプレッダーおよび超過高度の付属装置が、ベースフレームから離れて持ち上げられている場合である。
【図１６】  図１３に類似する断面図であるが、超過高度の付属装置が、ベースフレームと部分的に再係合されている場合である。
【図１７】  図１４に類似する断面図であるが、スプレッダーおよび超過高度の付属装置が、ベースフレームと部分的に再係合されている場合である。
【図１８】  図１５の断面図に類似する断面図であるが、スプレッダーおよび超過高度の付属装置が、ベースフレームと部分的に再係合されている場合である。
【図１９】  図１６に示されている断面図に類似する断面図であるが、超過高度の付属装置が、ベースフレームと完全に再係合されている場合である。
【図２０】  図１７に類似する断面図であるが、スプレッダーおよび超過高度の付属装置が、ベースフレームと完全に再係合されている場合である。
【図２１】  図１８に類似する断面図であるが、超過高度の付属装置およびスプレッダーが、ベースフレームと完全に再係合されている場合である。
【図２２】  図１９に示されている断面図に類似する断面図であるが、スプレッダーが、超過高度の付属装置から係合解除されている場合である。
【図１】
0004833500.tif 000002
【図２】
0004833500.tif 000003
【図３】
0004833500.tif 000004
【図４】
0004833500.tif 000005
【図５】
0004833500.tif 000006
【図６】
0004833500.tif 000007
【図７】
0004833500.tif 000008
【図８】
0004833500.tif 000009
【図９】
0004833500.tif 000010
【図１０】
0004833500.tif 000011
【図１１】
0004833500.tif 000012
【図１２】
0004833500.tif 000013
【図１３】
0004833500.tif 000014
【図１４】
0004833500.tif 000015
【図１５】
0004833500.tif 000016
【図１６】
0004833500.tif 000017
【図１７】
0004833500.tif 000018
【図１８】
0004833500.tif 000019
【図１９】
0004833500.tif 000020
【図２０】
0004833500.tif 000021
【図２１】
0004833500.tif 000022
【図２２】
0004833500.tif 000023